(57)【特許請求の範囲】
【請求項１】
デジタルプリディストーションモジュールと、
電力増幅器と
を備える、送信機と、
前記デジタルプリディストーションモジュールのためにフィードバック信号を生成する１つまたは複数の選択された共用受信機と、
前記１つまたは複数の選択された共用受信機を、前記送信機の出力部に選択的に結合させるフィードバックスイッチと
を備え、
前記デジタルプリディストーションモジュールは、ベースバンド送信信号に適用されるデジタルプリディストーションを、前記フィードバック信号に応じて調整し、
前記ベースバンド送信信号に適用される前記デジタルプリディストーションは、前記フィードバックスイッチが閉のときに前記１つまたは複数の共用受信機内のミキサに前記送信信号を与えているときだけ調整され、
前記フィードバックスイッチは、前記共用受信機をスイッチアウトすることによるダウンリンクスループットへの影響が最小になる、判定された時間に閉にされる、
モデム。
【請求項２】
前記フィードバックスイッチは、前記電力増幅器の出力部に結合される、請求項１に記載のモデム。
【請求項３】
前記フィードバックスイッチは、前記送信機の前記出力部を、前記１つまたは複数の選択された共用受信機内のミキサの入力部に選択的に結合させる、請求項１に記載のモデム。
【請求項４】
前記電力増幅器の出力部と前記フィードバックスイッチとの間の減衰結合器をさらに備える、請求項１に記載のモデム。
【請求項５】
前記フィードバック信号は、前記１つまたは複数の選択された共用受信機によって出力される受信機ベースバンド信号である、請求項１に記載のモデム。
【請求項６】
前記１つまたは複数の選択された共用受信機は、前記フィードバックスイッチが開のときに前記１つまたは複数の選択された共用受信機の受信周波数に同調し、前記フィードバックスイッチが閉のときに前記送信機の送信周波数に同調する電圧制御発振器を備える、請求項１に記載のモデム。
【請求項７】
前記１つまたは複数の選択された共用受信機は、前記１つまたは複数の選択された共用受信機と前記送信機の両方によって使用される周波数に同調する電圧制御発振器を備える、請求項１に記載のモデム。
【請求項８】
前記フィードバックスイッチは、前記１つまたは複数の選択された共用受信機を遮断することによるダウンリンクスループットが最小になる時間の間に閉にされる、請求項１に記載のモデム。
【請求項９】
前記デジタルプリディストーションモジュールが、送信信号にデジタルプリディストーションを加える、請求項１に記載のモデム。
【請求項１０】
前記デジタルプリディストーションは、前記フィードバックスイッチが閉になるとき、前記１つまたは複数の選択された共用受信機から受信したフィードバック信号に応じて調整される、請求項９に記載のモデム。
【請求項１１】
受信機選択スイッチと、
複数の受信機と、ここにおいて、前記受信機選択スイッチが、前記１つまたは複数の選択された共用受信機として複数の受信機の部分集合を選択する、
をさらに備える、請求項９に記載のモデム。
【請求項１２】
前記複数の受信機の前記部分集合は、前記送信機に最良のフィードバック信号を与える受信機を含み得る、請求項１１に記載のモデム。
【請求項１３】
前記モデムは、ワイヤレス通信デバイスの一部分である、請求項１に記載のモデム。
【請求項１４】
前記モデムは、ピコセルの一部分である、請求項１に記載のモデム。
【請求項１５】
前記モデムは、フェムトセルの一部分である、請求項１に記載のモデム。
【請求項１６】
前記１つまたは複数の選択された共用受信機は、ダイバーシティ受信機を備える、請求項１に記載のモデム。
【請求項１７】
送信機においてデジタルプリディストーションを適用するための方法であって、
プリディストーション信号を取得するためにベースバンド送信信号にデジタルプリディストーションを適用することと、
送信信号を取得するために、電力増幅器を使用して、前記プリディストーション信号を増幅することと、
フィードバック信号を取得するために、前記送信信号を１つまたは複数の共用受信機を通して通過させることと、
前記ベースバンド送信信号に適用される前記デジタルプリディストーションを、前記フィードバック信号に応じて調整することと
を備え、
前記ベースバンド送信信号に適用される前記デジタルプリディストーションは、フィードバックスイッチが閉のときに前記１つまたは複数の共用受信機内のミキサに前記送信信号を与えているときだけ調整され、
前記フィードバックスイッチは、前記共用受信機をスイッチアウトすることによるダウンリンクスループットへの影響が最小になる、判定された時間に閉にされる、
方法。
【請求項１８】
前記デジタルプリディストーションは、適応型デジタルプリディストーションモジュールを使用して適用され、前記フィードバック信号は、前記適応型デジタルプリディストーションモジュールに与えられる、請求項１７に記載の方法。
【請求項１９】
前記フィードバック信号は、前記１つまたは複数の共用受信機上のベースバンドフィルタの出力である、請求項１７に記載の方法。
【請求項２０】
前記送信信号は、前記１つまたは複数の共用受信機内のミキサへの入力である、請求項１７に記載の方法。
【請求項２１】
前記１つまたは複数の共用受信機内の前記ミキサに前記送信信号を与えるようにフィードバックスイッチを調整することと、
前記１つまたは複数の共用受信機内の前記ミキサに前記送信信号を与えるのを中止するように前記フィードバックスイッチを調整することと
をさらに備える、請求項２０に記載の方法。
【請求項２２】
前記ベースバンド送信信号に適用された前記デジタルプリディストーションを調整する前に、前記１つまたは複数の共用受信機内の電圧制御発振器の周波数を送信周波数に同調させることと、
前記ベースバンド送信信号に適用された前記デジタルプリディストーションを調整した後、前記１つまたは複数の共用受信機内の前記電圧制御発振器の前記周波数をダイバーシティ受信周波数に同調させることと
をさらに備える、請求項２１に記載の方法。
【請求項２３】
選択された共用受信機として受信機の部分集合から１つまたは複数の共用受信機を選択することと、
前記１つまたは複数の選択された共用受信機に前記送信信号を与えるように受信機選択スイッチを調整することと
をさらに備える、請求項１７に記載の方法。
【請求項２４】
前記方法はモデムによって実行される、請求項１７に記載の方法。
【請求項２５】
前記モデムは、
デジタルプリディストーションモジュールと、
電力増幅器と
を備える、送信機と、
前記デジタルプリディストーションモジュールのためにフィードバック信号を生成する１つまたは複数の選択された共用受信機と、
前記１つまたは複数の選択された共用受信機を、前記送信機の出力部に選択的に結合させるフィードバックスイッチと
を備える、請求項２４に記載の方法。
【請求項２６】
前記フィードバックスイッチは、前記電力増幅器の出力部に結合される、請求項２５に記載の方法。
【請求項２７】
前記フィードバックスイッチは、前記送信機の前記出力部を、前記１つまたは複数の選択された共用受信機内のミキサの入力部に選択的に結合させる、請求項２５に記載の方法。
【請求項２８】
前記モデムは、前記電力増幅器の出力部と前記フィードバックスイッチとの間の減衰結合器をさらに備える、請求項２５に記載の方法。
【請求項２９】
前記フィードバック信号は、前記１つまたは複数の選択された共用受信機によって出力される受信機ベースバンド信号である、請求項２５に記載の方法。
【請求項３０】
前記１つまたは複数の選択された共用受信機は、前記フィードバックスイッチが開のときに前記１つまたは複数の選択された共用受信機の受信周波数に同調し、前記フィードバックスイッチが閉のときに前記送信機の送信周波数に同調する電圧制御発振器を備える、請求項２５に記載の方法。
【請求項３１】
前記１つまたは複数の選択された共用受信機は、前記１つまたは複数の選択された共用受信機と前記送信機の両方によって使用される周波数に同調する電圧制御発振器を備える、請求項２５に記載の方法。
【請求項３２】
前記フィードバックスイッチは、前記１つまたは複数の選択された共用受信機を遮断することによるダウンリンクスループットが最小になる時間の間に閉にされる、請求項２５に記載の方法。
【請求項３３】
前記デジタルプリディストーションモジュールが、送信信号にデジタルプリディストーションを加える、請求項２５に記載の方法。
【請求項３４】
前記デジタルプリディストーションは、前記フィードバックスイッチが閉になるとき、前記１つまたは複数の選択された共用受信機から受信したフィードバック信号に応じて調整される、請求項３３に記載の方法。
【請求項３５】
前記モデムは、
受信機選択スイッチと、
複数の受信機と、ここにおいて、前記受信機選択スイッチが、前記１つまたは複数の選択された共用受信機として複数の受信機の部分集合を選択する、
をさらに備える、請求項３３に記載の方法。
【請求項３６】
前記複数の受信機の前記部分集合は、前記送信機に最良のフィードバック信号を与える受信機を備える、請求項３５に記載の方法。
【請求項３７】
前記モデムは、ワイヤレス通信デバイスの一部分である、請求項２５に記載の方法。
【請求項３８】
前記モデムは、ピコセルの一部分である、請求項２５に記載の方法。
【請求項３９】
前記モデムは、フェムトセルの一部分である、請求項２５に記載の方法。
【請求項４０】
前記１つまたは複数の選択された共用受信機は、ダイバーシティ受信機を備える、請求項２５に記載の方法。
【請求項４１】
プリディストーション信号を取得するためにベースバンド送信信号にデジタルプリディストーションを適用するための手段と、
送信信号を取得するために、電力増幅器を使用して、前記プリディストーション信号を増幅するための手段と、
フィードバック信号を取得するために、前記送信信号を１つまたは複数の共用受信機を通して通過させるための手段と、
前記ベースバンド送信信号に適用される前記デジタルプリディストーションを、前記フィードバック信号に応じて調整するための手段と
を備え、
前記ベースバンド送信信号に適用される前記デジタルプリディストーションは、フィードバックスイッチが閉のときに前記１つまたは複数の共用受信機内のミキサに前記送信信号を与えているときだけ調整され、
前記フィードバックスイッチは、前記共用受信機をスイッチアウトすることによるダウンリンクスループットへの影響が最小になる、判定された時間に閉にされる、
装置。
【請求項４２】
前記送信信号は、前記１つまたは複数の共用受信機内のミキサへの入力であり、
前記１つまたは複数の共用受信機内の前記ミキサに前記送信信号を与えるようにフィードバックスイッチを調整するための手段と、
前記１つまたは複数の共用受信機内の前記ミキサに前記送信信号を与えるのを中止するように前記フィードバックスイッチを調整するための手段と
をさらに備える、請求項４１に記載の装置。
【請求項４３】
前記ベースバンド送信信号に適用された前記デジタルプリディストーションを調整する前に、前記１つまたは複数の共用受信機内の電圧制御発振器の周波数を送信周波数に同調させるための手段と、
前記ベースバンド送信信号に適用された前記デジタルプリディストーションを調整した後、前記１つまたは複数の共用受信機内の前記電圧制御発振器の前記周波数をダイバーシティ受信周波数に同調させるための手段と
をさらに備える、請求項４２に記載の装置。
【請求項４４】
デジタルプリディストーションを調整するための、命令を記憶するコンピュータ可読記憶媒体であって、前記命令は、
ワイヤレスデバイスに、プリディストーション信号を取得するためにベースバンド送信信号にデジタルプリディストーションを適用させるためのコードと、
前記ワイヤレスデバイスに、送信信号を取得するために、電力増幅器を使用して前記プリディストーション信号を増幅させるためのコードと、
前記ワイヤレスデバイスに、フィードバック信号を取得するために、前記送信信号を１つまたは複数の共用受信機を通して通過させるためのコードと、
前記ワイヤレスデバイスに、前記フィードバック信号に応じて、前記ベースバンド送信信号に適用された前記デジタルプリディストーションを調整させるためのコードと
を備え、
前記ベースバンド送信信号に適用される前記デジタルプリディストーションは、フィードバックスイッチが閉のときに前記１つまたは複数の共用受信機内のミキサに前記送信信号を与えているときだけ調整され、
前記フィードバックスイッチは、前記共用受信機をスイッチアウトすることによるダウンリンクスループットへの影響が最小になる、判定された時間に閉にされる、
コンピュータ可読記憶媒体。
【請求項４５】
前記送信信号は、前記１つまたは複数の共用受信機内のミキサへの入力であり、前記命令は、
前記ワイヤレスデバイスに、前記１つまたは複数の共用受信機内の前記ミキサに前記送信信号を与えるようにフィードバックスイッチを調整させるためのコードと、
前記ワイヤレスデバイスに、前記１つまたは複数の共用受信機内の前記ミキサに前記送信信号を与えるのを中止するように前記フィードバックスイッチを調整させるためのコードと
をさらに備える、請求項４４に記載のコンピュータ可読記憶媒体。
【請求項４６】
前記命令は、
前記ワイヤレスデバイスに、前記１つまたは複数の共用受信機内の電圧制御発振器の周波数を、前記ベースバンド送信信号に適用された前記デジタルプリディストーションを調整する前に、送信周波数に同調させるためのコードと、
前記ワイヤレスデバイスに、前記１つまたは複数の共用受信機内の前記電圧制御発振器の前記周波数を、前記ベースバンド送信信号に適用された前記デジタルプリディストーションを調整した後、ダイバーシティ受信周波数に同調させるためのコードと
をさらに備える、請求項４５に記載のコンピュータ可読記憶媒体。
【発明の詳細な説明】
【技術分野】
【０００１】
米国特許法第１１９条に基づく優先権の主張
[0001]  本特許出願は、本出願の譲受人に譲渡され、参照により明白に本明細書に組み込まれる、２０１１年１０月１４日に出願された「ＳＨＡＲＥＤ  ＦＥＥＤＢＡＣＫ  ＦＯＲ  ＡＤＡＰＴＩＶＥ  ＴＲＡＮＳＭＩＴＴＥＲ  ＰＲＥ−ＤＩＳＴＯＲＴＩＯＮ」と題する仮出願第６１／５４７，６４０号の優先権を主張する。
【０００２】
[0002]  本開示は、一般に、通信システムのための電子デバイスに関する。より詳細には、本開示は、適応型送信機プリディストーション用の共用フィードバック（shared feedback for adaptive transmitter predistortion）のためのシステムおよび方法に関する。
【背景技術】
【０００３】
[0003]  ワイヤレス通信システムは、音声、ビデオ、データなどの、様々なタイプの通信コンテンツを提供するために広く展開されている。これらのシステムは、１つまたは複数の基地局との複数の端末の同時通信をサポートすることが可能な多元接続システムであり得る。
【０００４】
[0004]  これらの端末が、所与の帯域幅内で大量のデータを送信および受信することが望ましい。これらの端末が、バッテリー電力を節約することも望ましい。一般に、大量のデータを送信および受信することは、端末のバッテリー寿命を低減し得る。端末のバッテリー時間を増大させる１つの方法は、端末内でより効率的な増幅器を使用することである。しかしながら、これらの効率的な増幅器は、送信信号に追加のひずみ（distortion）をもたらし、著しいスペクトル再成長ひずみ（significant spectral re-growth distortion）をもたらす可能性がある。
【０００５】
[0005]  １つの解決策は、これらの増幅器を非線形領域の近くで動作させ、増幅器によって送信信号にもたらされるひずみを打ち消す（counteract）ために、増幅器の入力部（the input of the amplifier）においてプリディストーションデバイス（pre-distortion device）を使用することである。しかしながら、これらのプリディストーションデバイスは、適用されたプリディストーション（pre-distortion）を適切に調整するために、増幅器の非線形特性のモデルを必要とする可能性がある。増幅器の非線形特性のモデルを維持するために、フィードバックが必要とされ得る。そのようなフィードバックは、典型的には、専用受信機を必要としてきたが、専用受信機は、端末のコストとチップのスペース（real estate）の両方を大幅に増大させる可能性がある。したがって、専用受信機の追加のハードウェアのない適応型プリディストーションが必要である。
【発明の概要】
【０００６】
[0006]  モデムについて説明される。モデムは、送信機を含む。送信機は、デジタルプリディストーションモジュールと電力増幅器とを含む。モデムは、デジタルプリディストーションモジュールのためにフィードバック信号を生成する１つまたは複数の選択された共用受信機も含む。モデムは、１つまたは複数の選択された共用受信機（shared receivers）を、送信機の出力部（an output of the transmitter）に選択的に結合させるフィードバックスイッチをさらに含む。
【０００７】
[0007]  フィードバックスイッチは、電力増幅器の出力部に結合され得る。フィードバックスイッチは、送信機の出力部を、１つまたは複数の選択された共用受信機内のミキサの入力部に選択的に結合させ得る。モデムは、電力増幅器の出力部とフィードバックスイッチとの間に減衰結合部（an attenuation coupling）を含み得る。フィードバック信号は、１つまたは複数の選択された共用受信機によって出力される受信機ベースバンド信号であり得る。１つまたは複数の選択された共用受信機は、フィードバックスイッチが開（open）のときに１つまたは複数の選択された共用受信機の受信周波数に同調し、フィードバックスイッチが閉（closed）のときに送信機の送信周波数に同調する電圧制御発振器（a voltage controlled oscillator）を含み得る。代わりに、１つまたは複数の選択された共用受信機は、１つまたは複数の選択された共用受信機と送信機の両方によって使用される周波数に同調する電圧制御発振器を含み得る。
【０００８】
[0008]  フィードバックスイッチは、１つまたは複数の選択された共用受信機を遮断する（shutting out）ことによるダウンリンクスループットが最小になる時間の間に閉にされる可能性がある。デジタルプリディストーションモジュールは、送信信号にデジタルプリディストーションを加え得る。デジタルプリディストーションは、フィードバックスイッチが閉になるとき、１つまたは複数の選択された共用受信機から受信したフィードバック信号に応じて調整され得る。
【０００９】
[0009]  モデムは、受信機選択スイッチ（a receiver selection switch）も含み得る。モデムは、複数の受信機をさらに含み得る。受信機選択スイッチは、１つまたは複数の選択された共用受信機として複数の受信機の部分集合を選択し得る。複数の受信機の部分集合は、送信機に最良のフィードバック信号を与える受信機を含み得る。モデムは、ワイヤレス通信デバイス、ピコセル、またはフェムトセルの一部分となる可能性がある。１つまたは複数の選択された共用受信機は、ダイバーシティ受信機であり得る。
【００１０】
[0010]  送信機においてデジタルプリディストーションを適用するための方法についても説明される。プリディストーション信号（a pre-distorted signal）を取得するために、デジタルプリディストーションがベースバンド送信信号に適用される。送信信号を取得するために、電力増幅器を使用して、プリディストーション信号が増幅される。フィードバック信号を取得するために、送信信号を１つまたは複数の共用受信機を通して通過させる。ベースバンド送信信号に適用されるデジタルプリディストーションは、フィードバック信号に応じて調整される。
【００１１】
[0011]  適応型デジタルプリディストーションモジュールを使用して、デジタルプリディストーションが適用され得る。適応型デジタルプリディストーションモジュールに、フィードバック信号が与えられ得る。フィードバック信号は、１つまたは複数の共用受信機上のベースバンドフィルタの出力であり得る。送信信号は、１つまたは複数の共用受信機内のミキサへの入力であり得る。
【００１２】
[0012]  フィードバックスイッチは、１つまたは複数の共用受信機内のミキサに送信信号を与えるように調整され得る。フィードバックスイッチは、１つまたは複数の共用受信機内のミキサに送信信号を与えるのを中止するように調整することもできる。ベースバンド送信信号に適用されるデジタルプリディストーションは、フィードバックスイッチが閉のときに１つまたは複数の共用受信機内のミキサに送信信号を与えているときだけ、調整され得る。
【００１３】
[0013]  １つまたは複数の共用受信機内の電圧制御発振器の周波数は、ベースバンド送信信号に適用されたデジタルプリディストーションを調整する前に送信周波数に同調し得る。１つまたは複数の共用受信機内の電圧制御発振器の周波数は、ベースバンド送信信号に適用されたデジタルプリディストーションを調整した後、ダイバーシティ受信周波数に同調し得る。
【００１４】
[0014]  １つまたは複数の共用受信機は、選択された共用受信機として受信機の部分集合から選択され得る。受信機選択スイッチは、１つまたは複数の選択された共用受信機に送信信号を与えるように調整され得る。本方法は、モデムによって実行され得る。
【００１５】
[0015]  装置についても説明される。本装置は、プリディストーション信号を取得するためにベースバンド送信信号にデジタルプリディストーションを適用するための手段を含む。本装置は、送信信号を取得するために、電力増幅器を使用してプリディストーション信号を増幅するための手段も含む。本装置は、フィードバック信号を取得するために、送信信号を１つまたは複数の共用受信機を通して通過させるための手段をさらに含む。本装置は、フィードバック信号に応じて、ベースバンド送信信号に適用されたデジタルプリディストーションを調整するための手段も含む。
【００１６】
[0016]  デジタルプリディストーションを調整するためのコンピュータプログラム製品について説明される。本コンピュータプログラム製品は、命令を有する非一時的コンピュータ可読媒体を含む。本命令は、ワイヤレスデバイスに、プリディストーション信号を取得するためにベースバンド送信信号にデジタルプリディストーションを適用させるためのコードを含む。本命令は、ワイヤレスデバイスに、送信信号を取得するために、電力増幅器を使用してプリディストーション信号を増幅させるためのコードも含む。本命令は、ワイヤレスデバイスに、フィードバック信号を取得するために、送信信号を１つまたは複数の共用受信機を通して通過させるためのコードをさらに含む。本命令は、ワイヤレスデバイスに、フィードバック信号に応じて、ベースバンド送信信号に適用されたデジタルプリディストーションを調整させるためのコードも含む。
【図面の簡単な説明】
【００１７】
【図１】[0017]  複数のワイヤレスデバイスを有するワイヤレス通信システムを示す図。
【図２】[0018]  本システムおよび方法において使用するためのモデムを示すブロック図。
【図３】[0019]  本システムおよび方法において使用するための別のモデムを示すブロック図。
【図４】[0020]  送信信号に適応型（adaptive）デジタルプリディストーション（digital pre-distortion）（ＤＰＤ）を与えるための方法の流れ図。
【図５】[0021]  ベースバンド（baseband）（ＢＢ）送信信号に適用されるデジタルプリディストーション（ＤＰＤ）を調整するための方法の流れ図。
【図６】[0022]  送信信号に適応型デジタルプリディストーション（ＤＰＤ）を与えるための別の方法の流れ図。
【図７】[0023]  共用受信機として使用されるべき１つまたは複数の受信機を選択するための方法の流れ図。
【図８】[0024]  ワイヤレスデバイス内に含まれ得るいくつかの構成要素を示す図。
【発明を実施するための形態】
【００１８】
[0025]  第３世代パートナーシップ・プロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイル電気通信システム（ＵＭＴＳ）モバイルフォン規格を改善することを目的とした３ＧＰＰプロジェクトである。３ＧＰＰは、次世代のモバイルネットワーク、モバイルシステムおよびモバイルデバイスのための仕様を定義し得る。３ＧＰＰ  ＬＴＥでは、移動局またはモバイルデバイスは「ユーザ装置」（ＵＥ）と呼ばれることがある。
【００１９】
[0026]  ３ＧＰＰ仕様は、進化型の移動通信のためのグローバルシステム（ＧＳＭ）（登録商標）仕様に基づいており、ユニバーサルモバイル電気通信システム（ＵＭＴＳ）として一般に知られている。３ＧＰＰ規格はリリースとして構造化されている。したがって、３ＧＰＰについての説明では、しばしば、あるリリースまたは別のリリースにおける機能に言及する。たとえば、リリース９９は、ＣＤＭＡエアインターフェースを組み込んだ、最初のＵＭＴＳ第３世代（３Ｇ）ネットワークを規定する。リリース６は、動作をワイヤレスローカルエリアネットワーク（ＬＡＮ）ネットワークと一体化し、高速アップリンクパケットアクセス（High Speed Uplink Packet Access）（ＨＳＵＰＡ）を追加する。リリース８は、デュアルダウンリンクキャリアを導入し、リリース９は、デュアルキャリア動作をＵＭＴＳのためのアップリンクに拡張する。
【００２０】
[0027]  ＣＤＭＡ２０００は、ワイヤレスデバイス間でボイス、データおよびシグナリングを送るために符号分割多元接続（ＣＤＭＡ）を使用する第３世代（３Ｇ）技術規格のファミリーである。ＣＤＭＡ２０００は、ＣＤＭＡ２０００  １Ｘ、ＣＤＭＡ２０００  ＥＶ−ＤＯ  Ｒｅｖ．０、ＣＤＭＡ２０００  ＥＶ−ＤＯ  Ｒｅｖ．Ａ、およびＣＤＭＡ２０００  ＥＶ−ＤＯ  Ｒｅｖ．Ｂを含み得る。１ｘまたは１ｘＲＴＴは、コアＣＤＭＡ２０００ワイヤレスエアインターフェース規格を指す。１ｘは、より詳細には１×無線送信技術（1 times Radio Transmission Technology）を指し、ＩＳ−９５において使用されるものと同じ無線周波数（ＲＦ）帯域幅を示す。１ｘＲＴＴは、６４個の追加のトラフィックチャネルを順方向リンクに追加する。ＥＶ−ＤＯは、エボリューションデータ最適化を指す。ＥＶ−ＤＯは、無線信号を介したデータのワイヤレス送信のための電気通信規格である。
【００２１】
[0028]  図１は、ワイヤレスデバイス１０４を有するワイヤレス通信システム１００を示す。ワイヤレスデバイス１０４は、基地局、ワイヤレス通信デバイス、コントローラなどであり得る。基地局は、１つまたは複数のワイヤレス通信デバイスと通信する局である。基地局は、アクセスポイント、ブロードキャスト送信機、ノードＢ、進化型ノードＢなどと呼ばれることもあり、それらの機能の一部または全部を含み得る。各基地局は、特定の地理的エリアに通信カバレージを与える。基地局は、１つまたは複数のワイヤレス通信デバイスに通信カバレージを与え得る。「セル」という用語は、その用語が使用されるコンテキストに応じて基地局および／またはそのカバレージエリアを指すことができる。各セルはさらに複数のセクタに分割され得る。したがって、基地局は、複数のセクタをカバーし得る。
【００２２】
[0029]  ワイヤレス通信デバイスは、端末、アクセス端末、ユーザ装置（ＵＥ）、加入者ユニット、局などと呼ばれることもあり、それらの機能の一部または全部を含み得る。ワイヤレス通信デバイスは、セルラーフォン、携帯情報端末（ＰＤＡ）、ワイヤレスデバイス、ワイヤレスモデム、ハンドヘルドデバイス、ラップトップコンピュータ、ＰＣカード、コンパクトフラッシュ（登録商標）、外部または内部モデム、有線電話などであり得る。ワイヤレス通信デバイスは、移動型または固定型であり得る。ワイヤレス通信デバイスは、所与の瞬間にダウンリンクおよび／またはアップリンクにおいてゼロ、１つまたは複数の基地局と通信し得る。ダウンリンク（または順方向リンク）は、基地局からワイヤレス通信デバイスへの通信リンクを指し、アップリンク（または逆方向リンク）は、ワイヤレス通信デバイスから基地局への通信リンクを指す。アップリンクおよびダウンリンクは、通信リンク、または通信リンクに使用されるキャリアを指し得る。
【００２３】
[0030]  ワイヤレスシステム（たとえば、多元接続システム）における通信は、ワイヤレスリンクを介した送信によって達成され得る。そのような通信リンクは、単入力単出力（ＳＩＳＯ）、多入力単出力（ＭＩＳＯ）、または多入力多出力（ＭＩＭＯ）のシステムを介して確立され得る。ＭＩＭＯシステムは、それぞれ、データ送信のための複数（ＮＴ）個の送信アンテナと、複数（ＮＲ）個の受信アンテナとを装備した、送信機（複数可）と受信機（複数可）とを含む。ＳＩＳＯシステムおよびＭＩＳＯシステムは、ＭＩＭＯシステムの特定の例である。複数の送信アンテナおよび受信アンテナによって生成された追加の次元数が利用された場合、ＭＩＭＯシステムは、改善されたパフォーマンス（たとえば、より高いスループット、より大きい容量、または改善された信頼性）を与えることができる。
【００２４】
[0031]  ワイヤレス通信システム１００はＭＩＭＯを利用し得る。ＭＩＭＯシステムは、時分割複信（ＴＤＤ）システムと周波数分割複信（ＦＤＤ）システムの両方をサポートし得る。ＴＤＤシステムでは、アップリンク送信とダウンリンク送信とが同じ周波数領域上で行われるので、相反定理によりアップリンクチャネルからのダウンリンクチャネルの推定が可能である。これは、送信ワイヤレスデバイス１０４が、その送信ワイヤレスデバイス１０４によって受信された通信から、送信ビームフォーミング利得を抽出することを可能にする。
【００２５】
[0032]  ワイヤレス通信システム１００は、利用可能なシステムリソース（たとえば、帯域幅および送信電力）を共有することによって複数のワイヤレス通信デバイスとの通信をサポートすることが可能な多元接続システムであり得る。そのような多元接続システムの例には、符号分割多元接続（ＣＤＭＡ）システム、広帯域符号分割多元接続（Ｗ−ＣＤＭＡ）（登録商標）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ）ロングタームエボリューション（ＬＴＥ）システム、および空間分割多元接続（ＳＤＭＡ）システムがある。
【００２６】
[0033]  「ネットワーク」および「システム」という用語は、しばしば互換的に使用される。ＣＤＭＡネットワークは、ユニバーサル地上無線アクセス（ＵＴＲＡ）、ｃｄｍａ２０００などの無線技術を実装し得る。ＵＴＲＡは、Ｗ−ＣＤＭＡと低チップレート（ＬＣＲ）とを含み、ｃｄｍａ２０００は、ＩＳ−２０００、ＩＳ−９５およびＩＳ−８５６規格をカバーする。ＴＤＭＡネットワークは、移動通信のためのグローバルシステム（ＧＳＭ）などの無線技術を実装し得る。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線技術を実施し得る。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）という名称の組織からの文書に記載されている。ｃｄｍａ２０００は、「第３世代パートナーシッププロジェクト２」（３ＧＰＰ２）と称する組織からの文書に記載されている。
【００２７】
[0034]  本明細書におけるシステムおよび方法は、時分割複信（ＴＤＤ）および／または周波数分割複信（ＦＤＤ）を使用して動作するワイヤレスデバイス１０４に使用され得る。ワイヤレスデバイス１０４が時分割複信(ＴＤＤ)を使用して動作する場合、ワイヤレスデバイス１０４は、１つの受信機のみを有し得るか、または２つ以上の受信機を有し得る。また、時分割複信（ＴＤＤ）の場合、共用受信機１２０として使用される受信機（複数可）が送信機１１２に正確なフィードバック信号１２４を与えるのに十分な信号漏洩（signal leaking）を受信し得るので、フィードバックスイッチ１１８は、必要とされない可能性がある。
【００２８】
[0035]  ワイヤレスデバイス１０４は、アンテナ１２６を使用して無線周波数（ＲＦ）送信信号１３５を生成し得る。ワイヤレスデバイス１０４は、１つまたは複数のアンテナ１２９ａ−ｎを使用して無線周波数（ＲＦ）受信信号１３７を受信することもできる。送信アンテナ１２６および受信アンテナ１２９は、同じアンテナまたは異なるアンテナであり得る。
【００２９】
[0036]  ワイヤレス通信では、バッテリー電力を節約するのに最適な電力効率を実現しながら、所与の帯域幅内でより多くのデータを送信することが可能なワイヤレスデバイス１０４に対する一般的ニーズがある。たとえば、ワイヤレスデバイス１０４は、所与の帯域幅内でのデータスループットを増大させるために、１６、３２、または６４個のコンステレーションを有する直交振幅変調（ＱＡＭ）などの異なる変調方式を使用して設計されてきた。加えて、ワイヤレスデバイス１０４は、電力消費効率を改善するために、クラスＡ／Ｂ級、Ｂ級、Ｃ級、および他の級の増幅器などの、飽和領域（saturation region）近くで動作する電力増幅器１１４を使用して設計されてきた。
【００３０】
[0037]  データ送信の比較的高いスペクトル効率のために、そのようなワイヤレスデバイス１０４は、しばしば、許容できるスペクトル漏洩（spectral leakage）に関する厳しい要件を有する。場合によっては、これらの要件は、電力増幅器１１４の非線形特性が著しいスペクトル再成長と帯域内ひずみ（significant spectral re-growth and in-band distortion）とを引き起こすので、電力増幅器１１４をその飽和領域の近くで動作させる際に問題をもたらす。１つの解決策は、このひずみを低減または防止するように、電力増幅器１１４の動作をその線形領域に後退させることである。しかしながら、これは、ワイヤレスデバイス１０４の低減された電力効率につながり、ワイヤレスデバイス１０４のバッテリー寿命および連続使用に逆効果を及ぼす可能性がある。
【００３１】
[0038]  別の解決策は、電力増幅器１１４をその飽和領域または非線形領域の近くで動作させ、電力増幅器１１４の非線形性によって生じる出力信号のひずみを修正または低減するために、電力増幅器１１４の入力信号をひずませる（distort）ように電力増幅器１１４の前にデジタルプリディストーション（ＤＰＤ）モジュール１１６を使用することである。デジタルプリディストーション（ＤＰＤ）は、線形性を改善し、帯域外（out-of-band）（ＯＯＢ）の放射を低減し、無線周波数（ＲＦ）送信機１１２の効率を改善し得る。一般に、２つの手法、すなわち開ループ手法および閉ループ手法がある。開ループ手法は、典型的には、電力増幅器１１４の非線形特性が正確にモデル化され環境条件によって時間とともに著しく変化しない限り、十分に機能する。閉ループ手法は、デジタルプリディストーション（ＤＰＤ）モジュール１１６が、電力増幅器１１４の非線形特性を「実時間」でモデル化し、電力増幅器１１４の現在のモデルに従って入力信号のプリディストーションを調整するのを可能にするために、デジタルプリディストーション（ＤＰＤ）モジュール１１６に適応処理を与える（providing adaptation）ことを含む。
【００３２】
[0039]  適応型デジタルプリディストーション（ＤＰＤ）は、複雑で費用がかかる可能性がある。たとえば、適応型デジタルプリディストーション（ＤＰＤ）は、送信機１１２の正確なモデルを必要とし、動作中にそのモデルを調整するためのフィードバックを必要とする可能性がある。フィードバックは、しばしば、追加のハードウェアを必要とする。この追加のハードウェアを加えることは、ワイヤレスデバイス１０４のコストを増大させる可能性がある。１つの解決策は、ワイヤレスデバイス１０４上のモデム１１０上に配置された装置を再使用することである。モデム１１０は、共用受信機１２０として使用され得る１つまたは複数の受信機をすでに含む可能性がある。受信機選択スイッチ１２３およびフィードバックスイッチ１１８を介してモデム１１０上の送信機１１２の出力部に１つまたは複数の共用受信機１２０を選択的に結合させることにより、共用受信機１２０は、ワイヤレスデバイス１０４に専用受信機などの追加のハードウェアを加えることなく、送信機１１２上のデジタルプリディストーション（ＤＰＤ）モジュール１１６にフィードバック信号１２４を与えるために使用され得る。共用受信機１２０は、送信機１１２から送信信号１２２を受信し得る。
【００３３】
[0040]  熱は、電話、特に密にパックされたスマートフォンにおける著しい問題として特定されてきた。電力効率の良いエンベロープトラッキング送信機（power efficient Envelope Tracking transmitters）１１２の利用は、送信機１１２が適応型デジタルプリディストーション（ＤＰＤ）モジュール１１６を含む際に使用され得る。エンベロープトラッキング送信機１１２は、Ｌｅｏｎａｒｄ  Ｒ．Ｋａｈｎへの米国特許第２，６６６，１３３号において詳細に説明されてきた。
【００３４】
[0041]  図２は、本システムおよび方法において使用するためのモデム２１０を示すブロック図である。図２のモデム２１０は、図１のモデム１１０の一構成であり得る。モデム２１０は、送信機２１２および複数の共用受信機２２０ａ−ｎを含み得る。共用受信機２２０の各々は、受信アンテナ２２９ａ−ｎに結合され得る。代替的に、共用受信機２２０の各々は、同じアンテナ２２９に結合され得る。一構成では、共用受信機２２０の一部のみがアンテナ２２９を共用し得る。共用受信機２２０は、信号を受信し、送信機２１２にフィードバックを与える二重目的で使用され得る受信機である。一例として、共用受信機２２０は、１次受信機（a primary receiver）またはダイバーシティ受信機（a diversity receiver）（ＤＲｘ）であり得る。モデム２１０は、共用受信機２２０とするように、ワイヤレスデバイス１０４上の受信機のうちの１つまたは複数を選択し得る。
【００３５】
[0042]  送信機２１２は、アンテナ２２６に結合され得る。送信機２１２は、電力増幅器２１４を含み得る。ワイヤレス通信デバイス、フェムトセル、ピコセル、リピータ、またはリレーなどの、電力消費量および／またはハードウェアスペースの必要性が限定されたワイヤレスデバイス１０４に使用されるモデム２１０では、電力増幅器２１４は、飽和領域近くで動作し得る。しかしながら、そのような動作は、送信信号２４６に加えられる著しいひずみにつながる可能性がある。このひずみを補償するために、送信機２１２は、適応型デジタルプリディストーション（ＤＰＤ）モジュール２１６を含み得る。適応型デジタルプリディストーション（ＤＰＤ）モジュール２１６は、送信機２１２によって受信されるベースバンド送信信号２５６に、振幅−振幅変調（ＡＭＡＭ）補償（amplitude-to-amplitude modulation (AMAM) compensation）および振幅−位相変調（ＡＭＰＭ）補償（amplitude-to-phase modulation (AMPM) compensation）を与えるために使用され得る。この補償は、電力増幅器２１４が、送信信号２４６に著しいひずみを加えることなく、飽和領域の近くで動作するのを可能にし得る。
【００３６】
[0043]  適応型デジタルプリディストーション（ＤＰＤ）モジュール２１６は、適切に動作するために共用受信機２２０からのフィードバック信号２２４を必要とし得る。一構成では、適応型デジタルプリディストーション（ＤＰＤ）モジュール２１６は、複数の共用受信機２２０からのフィードバック信号２２４を受信し得る。送信機２１２は、共用受信機選択器（a shared receiver selector）２２５を含み得る。共用受信機選択器２２５は、共用受信機２２０として使用されるように、１つまたは複数の受信機を選択するために送信機２１２によって使用され得る。たとえば、共用受信機選択器２２５は、最良のフィードバック信号２２４を与える共用受信機２２０を選択し得る。
【００３７】
[0044]  共用受信機選択器２２５は、受信機選択スイッチ２２３を制御し得る。受信機選択スイッチ２２３は、送信機２１２から送信信号２４６を受信するために１つまたは複数の共用受信機２２０を選択し得る。送信信号２４６は、送信信号２４６の振幅を共用受信機２２０によって使用可能なレベルまで低減するために、最初に、減衰結合器２２１を通過し得る。共用受信機２２０の各々は、フィードバックスイッチ２１８ａ−ｎを含み得る。フィードバックスイッチ２１８は、アンテナ２２９からの共用受信機２２０の入力を送信信号２４６に切り替え得る。したがって、フィードバックスイッチ２１８がオフになる場合、共用受信機２２０は、送信信号２４６を受信せず、フィードバック信号２２４を送信機２１２に与えない可能性がある。各共用受信機２２０は、受信機ベースバンド（ＢＢ）信号２８０ａ−ｎを出力し得る。フィードバックスイッチ２１８がオンになる場合、受信機ベースバンド（ＢＢ）信号２８０は、送信機２１２にフィードバックデータ（すなわち、フィードバック信号２２４）を与え得る。このフィードバックデータは、電力増幅器２１４によって加えられるひずみを補償しながら、送信信号２４６に適用されるデジタルプリディストーションを調整するために、適応型デジタルプリディストーション（ＤＰＤ）モジュール２１６によって使用され得る。フィードバック信号２２４は、適応型デジタルプリディストーション（ＤＰＤ）モジュール２１６に与えられるデータのバーストまたはパケットであり得る。
【００３８】
[0045]  図３は、本システムおよび方法において使用するための別のモデム３１０を示すブロック図である。図３のモデム３１０は、図１のモデム１１０の一構成であり得る。モデム３１０は、１次受信機（ＰＲｘ）３３０、１次送信機（a primary transmitter）３１２、およびダイバーシティ受信機（ＤＲｘ）３２０を含み得る。モデム３１０は、第１のアンテナ３２６および第２のアンテナ３２９とともにワイヤレスデバイス１０４上にあり得る。第１のアンテナ３２６は、１次アンテナ（the primary antenna）と呼ばれることがあり、第２のアンテナ３２９は、ダイバーシティアンテナと呼ばれることがある。
【００３９】
[0046]  第１のアンテナ３２６は、デュプレクサ３２８に結合され得る。デュプレクサ３２８は、第１のアンテナ３２６が送信と受信の両方を行うのを可能にし得る。デュプレクサ３２８は、１次受信機３３０に１次受信信号３３２を転送し、１次送信機３１２から送信信号３４６を受信し得る。１次受信機３３０は、低雑音増幅器（ＬＮＡ）３３４と、電圧制御発振器（ＶＣＯ）３３８から１次受信機局部発振器（ＬＯ）信号３４０を受信するミキサ３３６と、ミキサ３３６に結合されたトランスインピーダンス増幅器（a trans-impedance amplifier）（ＴＩＡ）３４２と、１次受信機信号３３２から受信される１次ベースバンド（ＢＢ）信号３４４を取得するための他の回路（図示せず）とを含み得る。
【００４０】
[0047]  １次送信機３１２も、デュプレクサ３２８に結合され得る。１次送信機３１２は、電力増幅器３１４を含み得る。上記で説明したように、電力増幅器３１４は、Ａ／Ｂ級、Ｂ級、Ｃ級、または他の級の増幅器であり得る。電力増幅器３１４の出力は、送信信号３４６と呼ばれることがある。電力増幅器３１４の入力は、ミキサ３５０に結合され得る。ミキサ３５０は、信号を混合して送信周波数にすることができる。ミキサ３５０は、デジタルアナログ変換器（ＤＡＣ）３５２に結合され得る。デジタルアナログ変換器（ＤＡＣ）３５２は、適応型デジタルプリディストーション（ＤＰＤ）モジュール３１６に結合され得る。図３の適応型デジタルプリディストーション（ＤＰＤ）モジュール３１６は、図１の適応型デジタルプリディストーション（ＤＰＤ）モジュール１１６の一構成であり得る。
【００４１】
[0048]  適応型デジタルプリディストーション（ＤＰＤ）モジュール３１６は、入力信号に対して振幅−振幅変調（ＡＭＡＭ）補償および振幅−位相変調（ＡＭＰＭ）補償を実行するように構成され得る。適応型デジタルプリディストーション（ＤＰＤ）モジュール３１６は、振幅−振幅変調（ＡＭＡＭ）補償および振幅−位相変調（ＡＭＰＭ）補償を実行することにより、入力信号にデジタルプリディストーション（ＤＰＤ）を加え得る。振幅−振幅変調（ＡＭＡＭ）補償および振幅−位相変調（ＡＭＰＭ）補償は、信号が電力増幅器３１４によって増幅されるとき、増幅された信号（すなわち、送信信号３４６）が不要なディストーションされた信号（an undesired distorted signal）ではなく所望のターゲット信号となるように、電力増幅器３１４から生じる振幅および位相のひずみ（distortion）とは実質的に反対になる可能性がある。入力信号のプリディストーションは、電力増幅器３１４がより効率的になり、飽和領域のより近くで動作することを可能にし得る。
【００４２】
[0049]  適応型デジタルプリディストーション（ＤＰＤ）モジュール３１６によって入力信号に適用されるデジタルプリディストーション（ＤＰＤ）は、ダイバーシティ受信機（ＤＲｘ）３２０から受信したフィードバック信号３２４に応じて調整され得る。適応型デジタルプリディストーション（ＤＰＤ）モジュール３１６は、パルス整形モジュール（a pulse shaping module）３５４に結合され得る。パルス整形モジュール３５４は、送信機ベースバンド（ＢＢ）信号３５６を受信し得る。
【００４３】
[0050]  ダイバーシティ受信機（ＤＲｘ）３２０は、第２のアンテナ３２９からダイバーシティ受信信号３６０を受信し得る。ダイバーシティ受信信号３６０は、表面弾性波（a surface acoustic wave）（ＳＡＷ）フィルタ３６２および低雑音増幅器（ＬＮＡ）３６４を通過し得る。次いで、増幅された信号は、ダイバーシティ受信信号３６０の周波数を調整してダイバーシティ受信機（ＤＲｘ）の周波数にするためにフィードバックスイッチ３１８を通過してミキサ３６６に達し得る。ミキサ３６６は、電圧制御発振器（ＶＣＯ）３６８からダイバーシティ受信機局部発振器（ＬＯ）信号３７０（すなわち、ダイバーシティ受信機（ＤＲｘ）３２０の受信周波数を有する信号）を受信し得る。次いで、信号は、ダイバーシティ受信機ベースバンド（ＢＢ）信号３８０を取得するために、トランスインピーダンス増幅器（ＴＩＡ）３７２、アンチエイリアシングフィルタ（an anti-aliasing filter）（ＡＡＦ）３７４、アナログデジタル変換器（ＡＤＣ）３７６、およびベースバンド（ＢＢ）フィルタ３７８を通過し得る。ダイバーシティ受信機ベースバンド（ＢＢ）信号３８０は、ダイバーシティ受信機（ＤＲｘ）３２０が共用受信機１２０として動作しているとき、適応型デジタルプリディストーション（ＤＰＤ）モジュール３１６によって適用されるデジタルプリディストーション（ＤＰＤ）を調整するためにフィードバック信号３２４として１次送信機３１２に与えられ得る。
【００４４】
[0051]  １次送信機３１２の送信信号３４６は、フィードバックスイッチ３１８を介してダイバーシティ受信機（ＤＲｘ）３２０のミキサ３５０に結合され得る。送信信号３４６が電力増幅器３１４によって増幅されてきたので、低雑音増幅器（ＬＮＡ）３６４は、送信信号３４６を増幅する必要がない。代わりに、フィードバックスイッチ３１８は、ダイバーシティ受信機（ＤＲｘ）３２０内のミキサ３６６の前で送信信号３４６を減衰させるように設計され得る（すなわち、フィードバックスイッチ１１８は、減衰結合器２２１を含み得る）。
【００４５】
[0052]  一構成では、ダイバーシティ受信機（ＤＲｘ）３２０上の電圧制御発振器（ＶＣＯ）３６８は、ダイバーシティ受信機局部発振器（ＬＯ）信号３７０を１次送信機３１２によって使用される周波数に同調させるように調整され得る。したがって、電圧制御発振器（ＶＣＯ）３６８は、ＤＲｘ＿ＬＯの周波数からＴｘ＿ＬＯの周波数に同調し得る。電圧制御発振器（ＶＣＯ）３６８は、ダイバーシティ受信機局部発振器（ＬＯ）信号３７０を、１次送信機３１２とダイバーシティ受信機（ＤＲｘ）３２０の両方によって使用され得る周波数に同調させるように調整することもできる。電圧制御発振器（ＶＣＯ）３６８は、１次送信機３１２にフィードバック信号３２４を与えた後、ダイバーシティ受信機局部発振器（ＬＯ）周波数に再び同調し得る。
【００４６】
[0053]  フィードバックスイッチ３１８は、それをオンにしていることがダウンリンクスループットに及ぼす影響が最小限である間だけ同調し得る。たとえば、フィードバックスイッチ３１８は、ダイバーシティ受信機（ＤＲｘ）３２０がダイバーシティ受信信号３６０を受信していないときだけ、オンにされる（ダイバーシティ受信機（ＤＲｘ）３２０のミキサ３６６に送信信号３４６を結合させる）可能性がある。別の例として、フィードバックスイッチ３１８は、ダイバーシティ受信機（ＤＲｘ）３２０がアイドル状態であるときだけ、オンになる可能性がある。一構成では、フィードバックスイッチ３１８は、常にオンである可能性があり、ダイバーシティ受信機（ＤＲｘ）３２０は、１次送信機３１２から送信信号３４６を同時に受信しながら、ダイバーシティ受信信号３６０を受信するように構成され得る。
【００４７】
[0054]  図３のモデム２１０の構成要素はすべて、同じ集積回路上に配置され得る。一構成では、１次受信機（ＰＲｘ）３３０、１次送信機３１２、およびダイバーシティ受信機（ＤＲｘ）３２０は、１つまたは複数の送受信機チップ上に配置され得るが、適応型デジタルプリディストーション（ＤＰＤ）モジュール３１６、パルス整形モジュール３５４、およびベースバンド（ＢＢ）送信信号３５６は、モデムチップ上に配置される。モデムチップ上のプロセッサからの制御信号は、送受信機チップ上の回路に与えられ得る。
【００４８】
[0055]  図４は、送信信号２４６に適応型デジタルプリディストーション（ＤＰＤ）を与えるための方法３００の流れ図である。方法４００は、ワイヤレスデバイス１０４によって実行され得る。ワイヤレスデバイス１０４は、ベースバンド（ＢＢ）送信信号２５６を生成し得る（４０２）。次いで、ワイヤレスデバイス１０４は、ベースバンド（ＢＢ）送信信号２５６にデジタルプリディストーション（ＤＰＤ）を適用し得る（４０４）。デジタルプリディストーション（ＤＰＤ）は、適応型デジタルプリディストーション（ＤＰＤ）モジュール２１６を使用してベースバンド（ＢＢ）送信信号２５６に適用され得る。
【００４９】
[0056]  ワイヤレスデバイス１０４は、送信信号２４６を取得するために、電力増幅器２１４を使用してデジタルプリディストーションされた信号（digital pre-distorted signal）を増幅し得る（４０６）。次いで、ワイヤレスデバイス１０４は、フィードバック信号２２４を取得するために、送信信号２６を共用受信機２２０を通して通過させ得る（４０８）。ワイヤレスデバイス１０４は、送信機２１２上の適応型デジタルプリディストーション（ＤＰＤ）モジュール２１６にフィードバック信号２２４を与え得る（４１０）。次いで、ワイヤレスデバイス１０４は、フィードバック信号２２４に応じて、ベースバンド（ＢＢ）送信信号２５６に適用されたデジタルプリディストーション（ＤＰＤ）を調整し得る（４１２）。したがって、ベースバンド（ＢＢ）送信信号２５６に適用されたデジタルプリディストーション（ＤＰＤ）は、調整可能である。
【００５０】
[0057]  図５は、ベースバンド（ＢＢ）送信信号２５６に適用されるデジタルプリディストーション（ＤＰＤ）を調整するための方法５００の流れ図である。方法５００は、ワイヤレスデバイス１０４によって実行され得る。ワイヤレスデバイス１０４は、共用受信機２２０をスイッチアウトする（switching out）ことによるダウンリンクスループットへの影響が最小になる時間を判定し得る（５０２）。言い換えれば、ワイヤレスデバイス１０４は、フィードバックのために共用受信機２２０を使用する最適な時間を判定し得る。一構成では、共用受信機２２０をスイッチアウトすることによるダウンリンクスループットへの影響がゼロになる可能性がある。この時間は、時間スロット、時間ウィンドウ、開始時刻などであり得る。一構成では、共用受信機２２０は、ほぼ１０秒ごとに送信信号２４６をサンプリングするために使用され得る。ＬＴＥの場合、フィードバックのために共用受信機２２０を使用することによって送信信号２４６をサンプリングするために、未使用のリソースブロック（ＲＢ）が使用され得る。ＵＭＴＳの場合、９０００サンプル×３２ナノ秒（ｎｓ）は、（近似的に）２８８マイクロ秒（μｓ）ごとになる。１ｘの場合、９０００サンプル×
【数１】
0005911963.tif 000002
【００５１】
は、４５７μｓごとになる。
【００５２】
[0058]  ワイヤレスデバイス１０４は、決定された時間に、共用受信機２２０に送信信号２４６を与えるようにフィードバックスイッチ２１８を調整し得る（５０４）。一構成では、ワイヤレスデバイス１０４は、共用受信機２２０として使用されているダイバーシティ受信機（ＤＲｘ）３２０内のミキサ３６６に送信信号２４６を与え得る。次いで、ワイヤレスデバイス１０４は、フィードバック信号２２４を取得するために、共用受信機２２０を使用し得る（５０６）。フィードバック信号２２４は、共用受信機２２０によって出力される受信機ベースバンド（ＢＢ）信号２８０であり得る。ワイヤレスデバイス１０４は、フィードバック信号２２４に応じて、ベースバンド（ＢＢ）送信信号２５６に適用されたデジタルプリディストーション（ＤＰＤ）を調整し得る（５０８）。たとえば、ワイヤレスデバイス１０４は、フィードバック信号２２４に応じて、デジタルプリディストーション（ＤＰＤ）の振幅を増大／減少させ、および／またはデジタルプリディストーション（ＤＰＤ）の位相を調整することができる。次いで、ワイヤレスデバイス１０４は、共用受信機２２０に送信信号２４６を与えないようにフィードバックスイッチ２１８を調整し得る（５１０）。これは、共用受信機２２０が通常の受信機として動作する（すなわち、無線周波数（ＲＦ）受信信号１３７を受信する）ことを可能にする。
【００５３】
[0059]  図６は、送信信号３４６に適応型デジタルプリディストーション（ＤＰＤ）を与えるための別の方法６００の流れ図である。方法６００は、ワイヤレスデバイス１０４によって実行され得る。ワイヤレスデバイス１０４は、共用受信機２２０として使用されるダイバーシティ受信機（ＤＲｘ）３２０内の電圧制御発振器（ＶＣＯ）３６８の周波数を、送信周波数Ｔｘ＿ＬＯに同調させ得る（６０２）。送信周波数Ｔｘ＿ＬＯは、電力増幅器３１４を使用して信号を増幅する前の、１次送信機３１２内のミキサ３５０によって使用される周波数であり得る。一構成では、送信周波数Ｔｘ＿ＬＯは、１次送信機３１２とダイバーシティ受信機（ＤＲｘ）３２０の両方によって使用される周波数であり得る。
【００５４】
[0060]  ワイヤレスデバイス１０４は、ダイバーシティ受信機（ＤＲｘ）３２０に送信信号３４６を与えるようにフィードバックスイッチ３１８を調整し得る（６０４）。次いで、ワイヤレスデバイス１０４は、ベースバンド（ＢＢ）送信信号３５６に適用されたデジタルプリディストーション（ＤＰＤ）を調整し得る（６０６）。ワイヤレスデバイス１０４は、ダイバーシティ受信機（ＤＲｘ）３２０に送信信号３４６を与えるのを中止するようにフィードバックスイッチ３１８を調整し得る（６０８）。次いで、ワイヤレスデバイス１０４は、ダイバーシティ受信機（ＤＲｘ）３２０内の電圧制御発振器（ＶＣＯ）３６８の周波数を、ダイバーシティ受信周波数ＤＲｘ＿ＬＯに再び同調させ得る（６１０）。
【００５５】
[0061]  図７は、共用受信機２２０として使用されるべき１つまたは複数の受信機を選択するための方法７００の流れ図である。方法７００は、ワイヤレスデバイス１０４上のモデム１１０によって実行され得る。ワイヤレス通信デバイス１０４は、アクセス端末、移動局、ユーザ装置（ＵＥ）、ワイヤレス通信デバイス、フェムトセル、ピコセル、リピータ、リレーなどであり得る。モデム１１０は、共用受信機１２０として使用され得る、送信機１１２および１つまたは複数の受信機を含み得る。モデム１１０は、どの受信機が共用受信機１２０として使用され得るかを判定し得る（７０２）。次いで、モデム１１０は、共用受信機（複数可）１２０とするように、共用受信機として使用され得る複数の受信機のうちの１つまたは複数を選択し得る（７０４）。したがって、モデム１１０は、潜在的な共用受信機１２０の組から共用受信機１２０の部分集合を選択し得る（７０４）。選択された共用受信機１２０は、適応型デジタルプリディストーション(ＤＰＤ)のために送信機１１２に最適なフィードバック信号１２４を与える、これらの共用受信機１２０であり得る。
【００５６】
[0062]  モデム１１０は、送信機１１２の出力を選択された共用受信機１２０に結合させるために受信機選択スイッチ１２３を調整し得る（７０６）。次いで、モデム１１０は、選択された共用受信機１２０に送信信号１２２を与え得る（７０８）。モデム１１０は、選択された共用受信機１２０から送信機１１２にフィードバック信号１２４も与え得る（７１０）。モデム１１０は、送信前に送信信号１２２に適用されるデジタルプリディストーション(ＤＰＤ)を調整するためにフィードバック信号１２４を使用し得る（７１２）。
【００５７】
[0063]  図８は、ワイヤレスデバイス８０４内に含まれ得るいくつかの構成要素を示す。ワイヤレス通信デバイス８０４は、アクセス端末、移動局、ユーザ装置（ＵＥ）、ワイヤレス通信デバイス、フェムトセル、ピコセル、リピータ、リレーなどであり得る。ワイヤレスデバイス８０４は、プロセッサ８０３を含む。プロセッサ８０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ８０３は、中央処理ユニット（ＣＰＵ）と呼ばれることがある。図８のワイヤレスデバイス８０４には単一のプロセッサ８０３のみが示されるが、代替構成では、プロセッサの組合せ（たとえば、ＡＲＭとＤＳＰ）が使用され得る。
【００５８】
[0064]  ワイヤレスデバイス８０４は、メモリ８０５も含む。メモリ８０５は、電子情報を記憶することが可能な任意の電子的構成要素であり得る。メモリ８０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして実施され得る。
【００５９】
[0065]  データ８０７ａおよび命令８０９ａは、メモリ８０５内に格納され得る。命令８０９ａは、本明細書で開示された方法を実装するために、プロセッサ８０３によって実行可能であり得る。命令８０９ａを実行することは、メモリ８０５内に格納されるデータ８０７ａの使用を伴い得る。プロセッサ８０３が命令８０９を実行するとき、命令８０９ｂの様々な部分がプロセッサ８０３上にロードされ得、データ８０７ｂの様々ないくつかがプロセッサ８０３上にロードされ得る。
【００６０】
[0066]  ワイヤレスデバイス８０４は、複数のアンテナ８１７ａ−ｎを介してワイヤレスデバイス８０４から信号を送信し、ワイヤレスデバイス８０４で信号を受信するのを可能にするために送信機８１２および１つまたは複数の共用受信機８２０も含み得る。送信機８１２は、１つまたは複数の共用受信機８２０からフィードバック信号８２４を受信し得る。送信機８１２は、受信機選択スイッチ８２３を使用して、どの受信機が共用受信機８２０として使用されるかを選択し得る。受信機選択スイッチ８２３は、送信機８１２によって生成された送信信号を、共用受信機８２０として選択されたこれらの受信機だけに与え得る。各共用受信機８２０は、フィードバックスイッチ８１８を含み得る。フィードバックスイッチ８１８は、共用受信機８２０が、アンテナ８１７からの信号を受信すること、フィードバック用に使用される送信機８１２からの信号を受信することの間で切り替わることを可能にし得る。受信機選択スイッチ８２３およびフィードバックスイッチ８１８は、個別のスイッチとなるか、または単一のスイッチに組み合わせられ得る。送信機８１２および共用受信機８２０は、トランシーバ８１５と総称されることがある。ワイヤレスデバイス８０４は、複数の送信機、追加のアンテナ、共用受信機８２０として使用されない追加の受信機、および／または複数のトランシーバも含み得る（図示せず）。
【００６１】
[0067]  ワイヤレスデバイス８０４は、デジタル信号プロセッサ（ＤＳＰ）８２１を含み得る。ワイヤレスデバイス８０４は、通信インターフェース８２３も含み得る。通信インターフェース８９１は、ユーザがワイヤレスデバイス８０４と対話することを可能にし得る。
【００６２】
[0068]  ワイヤレスデバイス８０４の様々な構成要素は、パワーバス、制御信号バス、ステータス信号バス、データバスなどを含み得る１つまたは複数のバスによって互いに結合され得る。明確にするために、図８では、様々なバスが、バスシステム８１９として示されている。
【００６３】
[0069]  「判断（determining）」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【００６４】
[0070]  「に基づいて」という句は、別段に明示されていない限り、「のみに基づいて」を意味しない。言い換えれば、「に基づいて」という句は、「のみに基づいて」と「に少なくとも基づいて」の両方を表す。
【００６５】
[0071]  「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【００６６】
[0072]  「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子的に通信していると言われる。プロセッサに一体化されたメモリは、プロセッサと電子通信している。
【００６７】
[0073]  「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【００６８】
[0074]  本明細書で説明した機能は、１つまたは複数の命令としてプロセッサ可読媒体またはコンピュータ可読媒体上に記憶され得る。「コンピュータ可読媒体」という用語は、コンピュータまたはプロセッサによってアクセスされ得る任意の利用可能な媒体を指す。限定ではなく、例として、そのような媒体は、ＲＡＭ、ＲＯＭ、ＥＥＰＲＯＭ、フラッシュメモリ、ＣＤ−ＲＯＭもしくは他の光ディスクストレージ、磁気ディスクストレージもしくは他の磁気ストレージデバイス、または、命令もしくはデータ構造の形態の所望のプログラムコードを記憶するために使用されコンピュータもしくはプロセッサによってアクセスされ得る、任意の他の媒体を備え得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ-ｒａｙ（登録商標）ディスク（disc）を含み、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【００６９】
[0075]  ソフトウェアまたは命令はまた、伝送媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【００７０】
[0076]  本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、本明細書で説明した方法の適切な動作のためにステップまたはアクションの特定の順序が必要とされない限り、特定のステップおよび／またはアクションの順序および／または使用は、特許請求の範囲を逸脱することなく修正され得る。
【００７１】
[0077]  さらに、図３、図４、および図５によって示されたものなど、本明細書で説明される方法および技法を実行するためのモジュールおよび／または他の適切な手段は、デバイスによってダウンロードされ、かつ／または他の方法で取得され得ることを理解されたい。たとえば、デバイスは、本明細書で説明される方法を実行するための手段の転送を容易にするために、サーバに結合され得る。代替的に、本明細書で説明する様々な方法は、記憶手段をデバイスに結合するかまたは与えるときにデバイスが様々な方法を獲得することができるように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって与えられることができる。さらに、本明細書で説明する方法および技法をデバイスに与えるための任意の他の適切な技法を利用することができる。
【００７２】
[0078]  特許請求の範囲は、上記に示した正確な構成および構成要素に限定されないことを理解されたい。特許請求の範囲から逸脱することなく、本明細書で説明するシステム、方法、および装置の構成、動作および詳細において、様々な改変、変更および変形が行われ得る。
なお、本願の出願当初の請求項と同一の記載を以下に付記する。
［Ｃ１］ デジタルプリディストーションモジュールと、
電力増幅器と
を備える、送信機と、
前記デジタルプリディストーションモジュールのためにフィードバック信号を生成する１つまたは複数の選択された共用受信機と、
前記１つまたは複数の選択された共用受信機を、前記送信機の出力部に選択的に結合させるフィードバックスイッチと
を備える、モデム。
［Ｃ２］ 前記フィードバックスイッチは、前記電力増幅器の出力部に結合される、Ｃ１に記載のモデム。
［Ｃ３］ 前記フィードバックスイッチは、前記送信機の前記出力部を、前記１つまたは複数の選択された共用受信機内のミキサの入力部に選択的に結合させる、Ｃ１に記載のモデム。
［Ｃ４］ 前記電力増幅器の出力部と前記フィードバックスイッチとの間の減衰結合器をさらに備える、Ｃ１に記載のモデム。
［Ｃ５］ 前記フィードバック信号は、前記１つまたは複数の選択された共用受信機によって出力される受信機ベースバンド信号である、Ｃ１に記載のモデム。
［Ｃ６］ 前記１つまたは複数の選択された共用受信機は、前記フィードバックスイッチが開のときに前記１つまたは複数の選択された共用受信機の受信周波数に同調し、前記フィードバックスイッチが閉のときに前記送信機の送信周波数に同調する電圧制御発振器を備える、Ｃ１に記載のモデム。
［Ｃ７］ 前記１つまたは複数の選択された共用受信機は、前記１つまたは複数の選択された共用受信機と前記送信機の両方によって使用される周波数に同調する電圧制御発振器を備える、Ｃ１に記載のモデム。
［Ｃ８］ 前記フィードバックスイッチは、前記１つまたは複数の選択された共用受信機を遮断することによるダウンリンクスループットが最小になる時間の間に閉にされる、Ｃ１に記載のモデム。
［Ｃ９］ 前記デジタルプリディストーションモジュールが、送信信号にデジタルプリディストーションを加える、Ｃ１に記載のモデム。
［Ｃ１０］ 前記デジタルプリディストーションは、前記フィードバックスイッチが閉になるとき、前記１つまたは複数の選択された共用受信機から受信したフィードバック信号に応じて調整される、Ｃ９に記載のモデム。
［Ｃ１１］ 受信機選択スイッチと、
複数の受信機と、ここにおいて、前記受信機選択スイッチが、前記１つまたは複数の選択された共用受信機として複数の受信機の部分集合を選択する、
をさらに備える、Ｃ９に記載のモデム。
［Ｃ１２］ 前記複数の受信機の前記部分集合は、前記送信機に最良のフィードバック信号を与える受信機を含み得る、Ｃ１１に記載のモデム。
［Ｃ１３］ 前記モデムは、ワイヤレス通信デバイスの一部分である、Ｃ１に記載のモデム。
［Ｃ１４］ 前記モデムは、ピコセルの一部分である、Ｃ１に記載のモデム。
［Ｃ１５］ 前記モデムは、フェムトセルの一部分である、Ｃ１に記載のモデム。
［Ｃ１６］ 前記１つまたは複数の選択された共用受信機は、ダイバーシティ受信機を備える、Ｃ１に記載のモデム。
［Ｃ１７］ 送信機においてデジタルプリディストーションを適用するための方法であって、
プリディストーション信号を取得するためにベースバンド送信信号にデジタルプリディストーションを適用することと、
送信信号を取得するために、電力増幅器を使用して、前記プリディストーション信号を増幅することと、
フィードバック信号を取得するために、前記送信信号を１つまたは複数の共用受信機を通して通過させることと、
前記ベースバンド送信信号に適用される前記デジタルプリディストーションを、前記フィードバック信号に応じて調整することと
を備える、方法。
［Ｃ１８］ 前記デジタルプリディストーションは、適応型デジタルプリディストーションモジュールを使用して適用され、前記フィードバック信号は、前記適応型デジタルプリディストーションモジュールに与えられる、Ｃ１７に記載の方法。
［Ｃ１９］ 前記フィードバック信号は、前記１つまたは複数の共用受信機上のベースバンドフィルタの出力である、Ｃ１７に記載の方法。
［Ｃ２０］ 前記送信信号は、前記１つまたは複数の共用受信機内のミキサへの入力である、Ｃ１７に記載の方法。
［Ｃ２１］ 前記１つまたは複数の共用受信機内の前記ミキサに前記送信信号を与えるようにフィードバックスイッチを調整することと、
前記１つまたは複数の共用受信機内の前記ミキサに前記送信信号を与えるのを中止するように前記フィードバックスイッチを調整することと
をさらに備える、Ｃ２０に記載の方法。
［Ｃ２２］ 前記ベースバンド送信信号に適用される前記デジタルプリディストーションは、前記フィードバックスイッチが閉のときに前記１つまたは複数の共用受信機内の前記ミキサに前記送信信号を与えているときだけ調整される、Ｃ２１に記載の方法。
［Ｃ２３］ 前記ベースバンド送信信号に適用された前記デジタルプリディストーションを調整する前に、前記１つまたは複数の共用受信機内の電圧制御発振器の周波数を送信周波数に同調させることと、
前記ベースバンド送信信号に適用された前記デジタルプリディストーションを調整した後、前記１つまたは複数の共用受信機内の前記電圧制御発振器の前記周波数をダイバーシティ受信周波数に同調させることと
をさらに備える、Ｃ２１に記載の方法。
［Ｃ２４］ 選択された共用受信機として受信機の部分集合から１つまたは複数の共用受信機を選択することと、
前記１つまたは複数の選択された共用受信機に前記送信信号を与えるように受信機選択スイッチを調整することと
をさらに備える、Ｃ１７に記載の方法。
［Ｃ２５］ 前記方法はモデムによって実行される、Ｃ１７に記載の方法。
［Ｃ２６］ 前記モデムは、
デジタルプリディストーションモジュールと、
電力増幅器と
を備える、送信機と、
前記デジタルプリディストーションモジュールのためにフィードバック信号を生成する１つまたは複数の選択された共用受信機と、
前記１つまたは複数の選択された共用受信機を、前記送信機の出力部に選択的に結合させるフィードバックスイッチと
を備える、Ｃ２５に記載の方法。
［Ｃ２７］ 前記フィードバックスイッチは、前記電力増幅器の出力部に結合される、Ｃ２６に記載の方法。
［Ｃ２８］ 前記フィードバックスイッチは、前記送信機の前記出力部を、前記１つまたは複数の選択された共用受信機内のミキサの入力部に選択的に結合させる、Ｃ２６に記載の方法。
［Ｃ２９］ 前記モデムは、前記電力増幅器の出力部と前記フィードバックスイッチとの間の減衰結合器をさらに備える、Ｃ２６に記載の方法。
［Ｃ３０］ 前記フィードバック信号は、前記１つまたは複数の選択された共用受信機によって出力される受信機ベースバンド信号である、Ｃ２６に記載の方法。
［Ｃ３１］ 前記１つまたは複数の選択された共用受信機は、前記フィードバックスイッチが開のときに前記１つまたは複数の選択された共用受信機の受信周波数に同調し、前記フィードバックスイッチが閉のときに前記送信機の送信周波数に同調する電圧制御発振器を備える、Ｃ２６に記載の方法。
［Ｃ３２］ 前記１つまたは複数の選択された共用受信機は、前記１つまたは複数の選択された共用受信機と前記送信機の両方によって使用される周波数に同調する電圧制御発振器を備える、Ｃ２６に記載の方法。
［Ｃ３３］ 前記フィードバックスイッチは、前記１つまたは複数の選択された共用受信機を遮断することによるダウンリンクスループットが最小になる時間の間に閉にされる、Ｃ２６に記載の方法。
［Ｃ３４］ 前記デジタルプリディストーションモジュールが、送信信号にデジタルプリディストーションを加える、Ｃ２６に記載の方法。
［Ｃ３５］ 前記デジタルプリディストーションは、前記フィードバックスイッチが閉になるとき、前記１つまたは複数の選択された共用受信機から受信したフィードバック信号に応じて調整される、Ｃ３４に記載の方法。
［Ｃ３６］ 前記モデムは、
受信機選択スイッチと、
複数の受信機と、ここにおいて、前記受信機選択スイッチが、前記１つまたは複数の選択された共用受信機として複数の受信機の部分集合を選択する、
をさらに備える、Ｃ３４に記載の方法。
［Ｃ３７］ 前記複数の受信機の前記部分集合は、前記送信機に最良のフィードバック信号を与える受信機を備える、Ｃ３６に記載の方法。
［Ｃ３８］ 前記モデムは、ワイヤレス通信デバイスの一部分である、Ｃ２６に記載の方法。
［Ｃ３９］ 前記モデムは、ピコセルの一部分である、Ｃ２６に記載の方法。
［Ｃ４０］ 前記モデムは、フェムトセルの一部分である、Ｃ２６に記載の方法。
［Ｃ４１］ 前記１つまたは複数の選択された共用受信機は、ダイバーシティ受信機を備える、Ｃ２６に記載の方法。
［Ｃ４２］ プリディストーション信号を取得するためにベースバンド送信信号にデジタルプリディストーションを適用するための手段と、
送信信号を取得するために、電力増幅器を使用して、前記プリディストーション信号を増幅するための手段と、
フィードバック信号を取得するために、前記送信信号を１つまたは複数の共用受信機を通して通過させるための手段と、
前記ベースバンド送信信号に適用される前記デジタルプリディストーションを、前記フィードバック信号に応じて調整するための手段と
を備える、装置。
［Ｃ４３］ 前記送信信号は、前記１つまたは複数の共用受信機内のミキサへの入力であり、
前記１つまたは複数の共用受信機内の前記ミキサに前記送信信号を与えるようにフィードバックスイッチを調整するための手段と、
前記１つまたは複数の共用受信機内の前記ミキサに前記送信信号を与えるのを中止するように前記フィードバックスイッチを調整するための手段と
をさらに備える、Ｃ４２に記載の装置。
［Ｃ４４］ 前記ベースバンド送信信号に適用された前記デジタルプリディストーションを調整する前に、前記１つまたは複数の共用受信機内の電圧制御発振器の周波数を送信周波数に同調させるための手段と、
前記ベースバンド送信信号に適用された前記デジタルプリディストーションを調整した後、前記１つまたは複数の共用受信機内の前記電圧制御発振器の前記周波数をダイバーシティ受信周波数に同調させるための手段と
をさらに備える、Ｃ４３に記載の装置。
［Ｃ４５］ デジタルプリディストーションを調整するためのコンピュータプログラム製品であって、前記コンピュータプログラム製品は命令を有する非一時的コンピュータ可読媒体を備え、前記命令は、
ワイヤレスデバイスに、プリディストーション信号を取得するためにベースバンド送信信号にデジタルプリディストーションを適用させるためのコードと、
前記ワイヤレスデバイスに、送信信号を取得するために、電力増幅器を使用して前記プリディストーション信号を増幅させるためのコードと、
前記ワイヤレスデバイスに、フィードバック信号を取得するために、前記送信信号を１つまたは複数の共用受信機を通して通過させるためのコードと、
前記ワイヤレスデバイスに、前記フィードバック信号に応じて、前記ベースバンド送信信号に適用された前記デジタルプリディストーションを調整させるためのコードと
を備える、コンピュータプログラム製品。
［Ｃ４６］ 前記送信信号は、前記１つまたは複数の共用受信機内のミキサへの入力であり、前記命令は、
前記ワイヤレスデバイスに、前記１つまたは複数の共用受信機内の前記ミキサに前記送信信号を与えるようにフィードバックスイッチを調整させるためのコードと、
前記ワイヤレスデバイスに、前記１つまたは複数の共用受信機内の前記ミキサに前記送信信号を与えるのを中止するように前記フィードバックスイッチを調整させるためのコードと
をさらに備える、Ｃ４５に記載のコンピュータプログラム製品。
［Ｃ４７］ 前記命令は、
前記ワイヤレスデバイスに、前記１つまたは複数の共用受信機内の電圧制御発振器の周波数を、前記ベースバンド送信信号に適用された前記デジタルプリディストーションを調整する前に、送信周波数に同調させるためのコードと、
前記ワイヤレスデバイスに、前記１つまたは複数の共用受信機内の前記電圧制御発振器の前記周波数を、前記ベースバンド送信信号に適用された前記デジタルプリディストーションを調整した後、ダイバーシティ受信周波数に同調させるためのコードと
をさらに備える、Ｃ４６に記載のコンピュータプログラム製品。
【図１】
0005911963.tif 000003
【図２】
0005911963.tif 000004
【図３】
0005911963.tif 000005
【図４】
0005911963.tif 000006
【図５】
0005911963.tif 000007
【図６】
0005911963.tif 000008
【図７】
0005911963.tif 000009
【図８】
0005911963.tif 000010